(57)【特許請求の範囲】
【請求項１】
所定高さ（Ｈ１）の台座（２）の上部にクッション受け部（２ａ）を形成し、このクッション受け部の上側にクッション材（５）を載置した正座いす（１）において、
前記台座（２）を有底円筒状に形成するとともに、その底面周辺部に、全周にわたって当該台座の底面（２ｃ）から側面（２ｄ）に至る円弧断面状の転動面（２ｂ）を形成したことを特徴とする正座いす。
【請求項２】
クッション受け部（２ａ）は、前記台座（２）の上部から側方に延出するように形成されているとともに、前記台座の底面に、前記側面の内方に位置する円筒状の突片（２ｅ）を立設し、この突片（２ｅ）の上側に、前記台座（２）の上面開口を塞ぐプラグ（４）を冠着したことを特徴とする請求項１に記載の正座いす。
【発明の詳細な説明】
【０００１】
【発明の属する技術分野】
本発明は、稽古事や法事など長時間の正座を強いられるときに使用するのに好適な正座いすに関するものである。
【０００２】
【従来の技術】
従来この種の正座いすとしては、所定高さの台座の上側に硬質スポンジ製のクッション材を取り付けたものが知られている。
【０００３】
【発明が解決しようとする課題】
しかし、これでは台座の底面周辺部が角張っていることに起因して、次のような不都合が生じていた。
【０００４】
第１に、正座している人が容易に前傾姿勢をとることができず、上半身の体重が臀部一点に集中して作用するため、特に長時間の正座で腰痛を惹起する。
【０００５】
第２に、正座いすが容易に傾かないため、正座している人が体を小刻みに動かしにくく、正座が長時間に及ぶと血流が悪化してしまう。
【０００６】
第３に、正座いすを無理に傾けようとすると、台座の底面周辺部が畳や床にめり込んで傷付ける恐れがある。
【０００７】
本発明は、このような事情に鑑み、たとえ長時間にわたって正座をしても、腰痛や血流の悪化で健康を害する不具合がなく、しかも畳や床が傷付くことのない正座いすを提供することを目的とする。
【０００８】
【課題を解決するための手段】
まず、本発明のうち請求項１に係る発明は、所定高さ（Ｈ１）の台座（２）の上部にクッション受け部（２ａ）を形成し、このクッション受け部の上側にクッション材（５）を載置した正座いす（１）において、前記台座（２）を有底円筒状に形成するとともに、その底面周辺部に、全周にわたって当該台座の底面から側面に至る円弧断面状の転動面（２ｂ）を形成して構成される。
【０００９】
こうした構成を採用することにより、正座いすに座る人が前傾姿勢をとるのが容易になると同時に、その人の動きに合わせて正座いすが前後左右に傾き、さらに、台座の底面周辺部が畳や床にめり込む事態が発生しなくなるように作用する。
【００１０】
また、本発明のうち請求項２に係る発明は、クッション受け部（２ａ）は、前記台座（２）の上部から側方に延出するように形成されているとともに、前記台座の底面に、前記側面の内方に位置する円筒状の突片（２ｅ）を立設し、この突片（２ｅ）の上側に、前記台座（２）の上面開口を塞ぐプラグ（４）を冠着したことを特徴とするものである。
【００１１】
また、請求項１または２に記載の発明において、上記台座（２）のクッション受け部（２ａ）と上記クッション材（５）との間に高さ調整スペーサ（３）を着脱自在に介挿すれば、高さ調整スペーサを適宜取り外すことで、正座いすの総高を調節することが可能となる。
【００１２】
さらに、上記台座（２）のクッション受け部（２ａ）を側方に向けて長方形状に延出するとともに、そのクッション受け部に対応させて上記クッション材（５）を同形状に形成すれば好適である。
【００１３】
かかる構成により、正座いすを縦長に設置すれば、足先を組むことができるようになる。
【００１４】
なお、括弧内の符号は図面において対応する要素を表す便宜的なものであり、したがって、本発明は図面上の記載に限定拘束されるものではない。このことは「特許請求の範囲」の欄についても同様である。
【００１５】
【発明の実施の形態】
以下、本発明の実施形態を図面に基づいて説明する。
【００１６】
図１は本発明に係る正座いすの一実施形態を示す図であって、（ａ）は斜め上方から見た斜視図、（ｂ）はその台座を斜め下方から見た斜視図、
図２は図１に示す正座いすの要部の正断面図、
図３は図１に示す正座いすの台座の詳細図であって、（ａ）はその平面図、（ｂ）はその正面図、
図４は図１に示す正座いすのプラグの詳細図であって、（ａ）はその縦断面図、（ｂ）はその底面図、
図５は図１に示す正座いすの使用状態図である。
【００１７】
この正座いす１は、図１および図２に示すように、所定高さＨ１（例えば、Ｈ１＝９５ｍｍ）のポリプロピレン製の台座２を有しており、台座２の上部には、図３に示すように、クッション受け部２ａが側方（水平方向）に向けて長方形状に延出した形で形成されている。また、台座２の底面には、図２に示すように、円筒状の突片２ｅが上向きに立設されており、突片２ｅの上側にはポリプロピレン製のプラグ４が台座２を塞ぐ形で着脱自在に冠着されている。すなわち、このプラグ４は、図４に示すように、円盤状の基板４ａを有しており、基板４ａの下面には、その周縁部に円筒状のフランジ４ｂが下向きに形成されているとともに、円筒状の突片４ｃが下向きに形成されている。そして、プラグ４を台座２の上面中央部に冠着すると、図２に示すように、プラグ４のフランジ４ｂおよび突片４ｃがそれぞれ台座２の側面２ｄおよび突片２ｅに係合して台座２を塞ぐ。
【００１８】
また、これら台座２、プラグ４の上側には２枚の高さ調整スペーサ３が着脱自在に載置されており、これら高さ調整スペーサ３の上側にはウレタン製のクッション材５が載置されている。ここで、各高さ調整スペーサ３およびクッション材５は、図２に示すように、台座２のクッション受け部２ａと同形状（長方形状）でやや大きく形成されている。さらに、これら高さ調整スペーサ３、クッション材５には、図１に示すように、布カバー６が着脱自在に被覆されている。
【００１９】
ところで、台座２の底面周辺部には、その全周にわたって転動面２ｂが形成されており、この転動面２ｂは台座２の底面２ｃから側面２ｄに至る円弧断面状を呈している。
【００２０】
正座いす１は以上のような構成を有するので、この正座いす１を用いて正座をする際には、図５に示すように、正座いす１の上に腰を下ろし、両膝を体の前方で折り曲げ、足先を台座２の両脇に置く。
【００２１】
この際、台座２の底面周辺部には転動面２ｂが形成されているので、正座いす１を傾けて容易に前傾姿勢をとることができ、両膝を畳または床に付けることによって上半身の体重を臀部と両膝の３点で支持することが可能となることから、たとえ正座が長時間にわたっても腰痛の発生を抑制することができる。また、正座している人の体が小刻みな動きをしたときには、それに合わせて正座いす１が前後左右に傾くので、長時間の正座に伴う血流の悪化によって健康を害する事態を避けることができる。しかも、台座２の転動面２ｂは台座２の底面２ｃから側面２ｄに至る円弧断面状となっているため、台座２の底面周辺部が畳や床にめり込んで傷付ける恐れもない。
【００２２】
また、正座いす１に座る人の体重は主に台座２の側面２ｄおよび突片２ｅで支持されるので、大きな体重にも耐えることができることに加えて、高さ調整スペーサ３は着脱自在であり、１枚または２枚の高さ調整スペーサ３を取り外すことにより、正座する人の体格に応じて正座いす１の総高を低くすることができることから、正座いす１の汎用性が高まる。
【００２３】
なお、正座するときの正座いす１の設置方向は縦長でも横長でも構わないが、正座いす１を縦長に設置すれば、足先を組むことができる点で使い勝手に優れる。また、台座２のクッション受け部２ａは必ずしも長方形状に形成する必要はなく、例えば円形や楕円形に形成してもよい。
【００２４】
【発明の効果】
以上説明したように、本発明のうち請求項１または２に係る発明によれば、所定高さＨ１の台座２の上部にクッション受け部２ａを形成し、このクッション受け部２ａの上側にクッション材５を載置した正座いす１において、前記台座２を有底円筒状に形成するとともに、その底面周辺部に、全周にわたって当該台座２の底面２ｃから側面２ｄに至る円弧断面状の転動面２ｂを形成して構成したので、正座いす１に座る人が前傾姿勢をとるのが容易になると同時に、その人の動きに合わせて正座いす１が前後左右に傾き、さらに、台座２の底面周辺部が畳や床にめり込む事態が発生しなくなることから、たとえ長時間にわたって正座をしても、腰痛や血流の悪化で健康を害する不具合がなく、しかも畳や床が傷付くことのない正座いす１を提供することができる。
【図面の簡単な説明】
【図１】本発明に係る正座いすの一実施形態を示す図であって、（ａ）は斜め上方から見た斜視図、（ｂ）はその台座を斜め下方から見た斜視図である。
【図２】図１に示す正座いすの要部の正断面図である。
【図３】図１に示す正座いすの台座の詳細図であって、（ａ）はその平面図、（ｂ）はその正面図である。
【図４】図１に示す正座いすのプラグの詳細図であって、（ａ）はその縦断面図、（ｂ）はその底面図である。
【図５】図１に示す正座いすの使用状態図である。
【符号の説明】
１……正座いす
２……台座
２ａ……クッション受け部
２ｂ……転動面
２ｃ……底面
２ｄ……側面
３……高さ調整スペーサ
５……クッション材
【図１】
0003575421.tif 000002
【図２】
0003575421.tif 000003
【図３】
0003575421.tif 000004
【図４】
0003575421.tif 000005
【図５】
0003575421.tif 000006